(57)【特許請求の範囲】
【請求項１】
スクリーンに対して投射光軸を傾斜させて、表示デバイス上に表示される画面を光学レンズ系で拡大してスクリーン上に投射することによって生じる投射映像の歪みを、前記光学レンズ系の助けを借りずに、前記表示デバイス自体の画面表示に処理を施すことで、補正する投射映像の歪補正方法であって、
前記投射映像の補正点を補正対象とする複数の補正ファンクションに対応した複数の補正ファンクション表示を前記スクリーンに表示する第１のステップと、
操作者によって選択された前記補正ファンクションに対応した前記補正ファンクション表示を前記スクリーンにハイライト表示する第２のステップと、
選択された前記補正ファンクションの補正対象である前記補正点を前記操作者の指示に応じて前記スクリーン上で移動させて表示するとともに、前記移動した距離に応じた補正パラメータを算出する第３のステップと、
前記補正パラメータに基づいて前記投射映像を補正する第４のステップと
を備えてなることを特徴とする投射映像の歪補正方法。
【請求項２】
前記投射映像は、長方形状の映像が台形状に歪んだものであり、前記補正点は、前記台形状の前記投射映像の四隅に対応した第１乃至第４の補正点からなり、前記複数の補正ファンクションは、前記第１乃至第４の補正点を補正対象とする第１乃至第４の補正ファンクションからなり、前記複数の補正ファンクション表示は、前記台形状の前記投射映像と相似形状の四隅であって、前記第１乃至第４の補正ファンクションに対応した第１乃至第４の補正ファンクション表示からなることを特徴とする請求項１記載の投射映像の歪補正方法。
【請求項３】
前記投射映像は、長方形状の映像が台形状に歪んだものであり、前記補正点は、前記台形状の前記投射映像の第１乃至第４の角に対応した第１乃至第４の補正点からなり、前記複数の補正ファンクションは、前記第１乃至第４の補正点を補正対象とする第１乃至第４の補正ファンクションと、前記第１及び第２の補正点を補正対象とする第５の補正ファンクションと、前記第２及び第３の補正点を補正対象とする第６の補正ファンクションと、前記第３及び第４の補正点を補正対象とする第７の補正ファンクションと、前記第４及び第１の補正点を補正対象とする第８の補正ファンクションとからなり、前記複数の補正ファンクション表示は、前記台形状の前記投射映像と相似形状の第１乃至第４の角であって、前記第１乃至第４の補正ファンクションに対応した第１乃至第４の補正ファンクション表示と、前記相似図形の第１及び第２の角の中間点に位置し、前記第５の補正ファンクションに対応した第５の補正ファンクション表示と、前記相似図形の第２及び第３の角の中間点に位置し、前記第６の補正ファンクションに対応した第６の補正ファンクション表示と、前記相似図形の第３及び第４の角の中間点に位置し、前記第７の補正ファンクションに対応した第７の補正ファンクション表示と、前記相似図形の第４及び第１の角の中間点に位置し、前記第８の補正ファンクションに対応した第８の補正ファンクション表示とからなり、
前記第３のステップでは、第５の補正ファンクションが選択された場合には、前記第１及び第２の補正点を前記操作者の指示に応じて前記スクリーン上で同時に移動させて表示するとともに、前記移動した距離に応じた補正パラメータを同時に算出し、第６の補正ファンクションが選択された場合には、前記第２及び第３の補正点を前記操作者の指示に応じて前記スクリーン上で同時に移動させて表示するとともに、前記移動した距離に応じた補正パラメータを同時に算出し、第７の補正ファンクションが選択された場合には、前記第３及び第４の補正点を前記操作者の指示に応じて前記スクリーン上で同時に移動させて表示するとともに、前記移動した距離に応じた補正パラメータを同時に算出し、第８の補正ファンクションが選択された場合には、前記第４及び第１の補正点を前記操作者の指示に応じて前記スクリーン上で同時に移動させて表示するとともに、前記移動した距離に応じた補正パラメータを同時に算出することを特徴とする請求項１記載の投射映像の歪補正方法。
【請求項４】
前記操作者による指示は、前記投射映像を前記スクリーンに投射する装置の筐体に設けられた、又はリモートコントローラに設けられた上下左右の移動を指示するためのカーソルキーにより行われることを特徴とする請求項１乃至３のいずれか１に記載の投射映像の歪補正方法。
【請求項５】
コンピュータに請求項１乃至４のいずれか１に記載の機能を実現させるための歪補正プログラム。
【請求項６】
上下左右の移動を指示するためのカーソルキーを有する操作手段と、
光学レンズ系と、表示デバイスとを有してなると共に、スクリーンに対して投射光軸を傾斜させて、前記表示デバイス上に表示される画面を前記光学レンズ系で拡大してスクリーン上に投射することによって生じる投射映像の歪みを、前記光学レンズ系の助けを借りずに、前記表示デバイス自体の画面表示に処理を施すことで、補正するための前記投射映像の補正点を補正対象とする複数の補正ファンクションに対応した複数の補正ファンクション表示を前記スクリーンに表示する表示手段と、
前記表示手段を制御することにより、前記操作手段が操作されることにより選択された前記補正ファンクションに対応した前記補正ファンクション表示を前記スクリーンにハイライト表示させるとともに、選択された前記補正ファンクションの補正対象である前記補正点を前記操作手段が操作されることによる指示に応じて前記スクリーン上で移動させて表示させ、前記移動した距離に応じた補正パラメータを算出する制御手段と、
前記補正パラメータに基づいて前記投射映像を補正する補正手段と
を備えてなることを特徴とする投射型映像表示装置。
【請求項７】
前記投射映像は、長方形状の映像が台形状に歪んだものであり、前記補正点は、前記台形状の前記投射映像の四隅に対応した第１乃至第４の補正点からなり、前記複数の補正ファンクションは、前記第１乃至第４の補正点を補正対象とする第１乃至第４の補正ファンクションからなり、前記複数の補正ファンクション表示は、前記台形状の前記投射映像と相似形状の四隅であって、前記第１乃至第４の補正ファンクションに対応した第１乃至第４の補正ファンクション表示からなることを特徴とする請求項６記載の投射型映像表示装置。
【請求項８】
前記投射映像は、長方形状の映像が台形状に歪んだものであり、前記補正点は、前記台形状の前記投射映像の第１乃至第４の角に対応した第１乃至第４の補正点からなり、前記複数の補正ファンクションは、前記第１乃至第４の補正点を補正対象とする第１乃至第４の補正ファンクションと、前記第１及び第２の補正点を補正対象とする第５の補正ファンクションと、前記第２及び第３の補正点を補正対象とする第６の補正ファンクションと、前記第３及び第４の補正点を補正対象とする第７の補正ファンクションと、前記第４及び第１の補正点を補正対象とする第８の補正ファンクションとからなり、前記複数の補正ファンクション表示は、前記台形状の前記投射映像と相似形状の第１乃至第４の角であって、前記第１乃至第４の補正ファンクションに対応した第１乃至第４の補正ファンクション表示と、前記相似図形の第１及び第２の角の中間点に位置し、前記第５の補正ファンクションに対応した第５の補正ファンクション表示と、前記相似図形の第２及び第３の角の中間点に位置し、前記第６の補正ファンクションに対応した第６の補正ファンクション表示と、前記相似図形の第３及び第４の角の中間点に位置し、前記第７の補正ファンクションに対応した第７の補正ファンクション表示と、前記相似図形の第４及び第１の角の中間点に位置し、前記第８の補正ファンクションに対応した第８の補正ファンクション表示とからなり、
前記第３のステップでは、第５の補正ファンクションが選択された場合には、前記第１及び第２の補正点を前記操作者の指示に応じて前記スクリーン上で同時に移動させて表示するとともに、前記移動した距離に応じた補正パラメータを同時に算出し、第６の補正ファンクションが選択された場合には、前記第２及び第３の補正点を前記操作者の指示に応じて前記スクリーン上で同時に移動させて表示するとともに、前記移動した距離に応じた補正パラメータを同時に算出し、第７の補正ファンクションが選択された場合には、前記第３及び第４の補正点を前記操作者の指示に応じて前記スクリーン上で同時に移動させて表示するとともに、前記移動した距離に応じた補正パラメータを同時に算出し、第８の補正ファンクションが選択された場合には、前記第４及び第１の補正点を前記操作者の指示に応じて前記スクリーン上で同時に移動させて表示するとともに、前記移動した距離に応じた補正パラメータを同時に算出することを特徴とする請求項６記載の投射型映像表示装置。
【発明の詳細な説明】
【０００１】
【発明の属する技術分野】
この発明は、投射映像の歪補正方法、歪補正プログラム及び投射型映像表示装置に関し、詳しくは、スクリーンに対して投射光軸を傾斜させて映像を投射することによって生じる投射映像の歪みを補正する投射映像の歪補正方法、歪補正プログラム及び投射映像の歪補正方法を適用した投射型映像表示装置に関する。
【０００２】
【従来の技術】
投射型映像表示装置（プロジェクタ）は、光源から放射された光を液晶パネルなどの表示デバイスによって変調した後、光学レンズを通してスクリーン上に投射することにより映像を表示している。
ところで、投射型映像表示装置は、スクリーンに対して投射光軸を直交させて映像を投射することよりは、スクリーンに対して投射光軸を傾斜させて映像を投射することが多い。この場合、例えば、長方形の映像が台形に歪んだ映像としてスクリーン上に表示される。
【０００３】
そこで、従来の投射型映像表示装置では、スクリーンに対して投射光軸を傾斜させて映像を投射することによって生じる投射映像の歪を補正している。
例えば、特開２００２−６３９１号公報には、以下に示す技術を開示されている。すなわち、まず、スクリーンとは別個に設けられたディスプレイに長方形等の図形を表示すると同時にスクリーン上に同一の図形を表示させる。次に、ディスプレイ上の長方形等の図形の頂点（補正点）を移動して、変形した四辺形の図形をディスプレイに表示させ、その時の変形した四辺形の図形の元の図形に対する変形比率パラメータを求めるとともに、変形した四辺形の図形をスクリーン上に表示する。このスクリーン上に表示した四辺形の図形が元の図形と同一である場合には、その時の変形比率パラメータを保存する。そして、外部から供給される画像を保存した変形比率パラメータに基づいて画像変換してスクリーン上に表示する。以下、この技術を第１の従来技術と呼ぶ。また、この第１の従来技術においては、スクリーンに表示した画面に任意の補正点を指定することができる自由設定モードがある。
【０００４】
また、特開２００２−４４５７１号公報には、以下に示す技術が開示されている。すなわち、この技術による装置は、テスト映像をスクリーン上に投射する表示手段と、スクリーン上に投射されたテスト投射映像の歪み輪郭を規定する特定位置の座標に対応する歪みのないテスト映像の座標を入力する入力手段と、テスト投射映像の歪み輪郭を規定する特定位置を入力手段で入力された歪みのないテスト映像の座標に移動するポインティングデバイスと、テスト投射映像の歪み輪郭を規定する特定位置の座標と、歪みのないテスト映像の対応する座標との関係に基づいて、投射映像の歪みを補正する補正手段とを備えている。以下、この技術を第２の従来技術と呼ぶ。
【０００５】
【発明が解決しようとする課題】
ところで、上記した第１の従来技術においては、パーソナルコンピュータ等の情報処理装置を用いて、情報処理装置を構成するディスプレイに表示される映像と同一の映像をスクリーン上にも投射することを前提としている。したがって、この技術を投射型映像表示装置単独で映像をスクリーン上に投射する用途に適用するとすれば、ディスプレイが別に必要となり、部品点数が多くなる。
また、上記した第２の従来技術においては、マウス等のポインティングデバイスが必要であるため、部品点数が多くなるとともに、ポインティングデバイスを操作するためのテーブルが必要であり、装置の設置場所が限定されてしまう。
さらに、上記した第１及び第２の従来技術においては、ポインティングデバイスにより補正位置を直接指定しなければならないが、ポインティングデバイスは、そもそもポインティングデバイスを操作するテーブルと同一のテーブル上に設置されたディスプレイに表示された画面を目視しながら操作者（オペレータ）が操作することを前提としたものである。したがって、上記した第１の従来技術のようにスクリーンとは別にディスプレイを設ける必要があったり、上記した第２の従来技術のように数メートル離れたスクリーン上に投射されたテスト投射映像を操作者が目視しながらポインティングデバイスを操作しなければならない。このため、前者の場合には上記したように部品点数が多くなるという欠点があるし、後者の場合には操作性が悪いという欠点がある。
【０００６】
この発明は、上述の事情に鑑みてなされたもので、ディスプレイやポインティングデバイスを別に設けることなく、簡単な操作で任意の補正点を指定してスクリーンに対して投射光軸を傾斜させて映像を投射することによって生じる映像の歪みを補正することができる投射映像の歪補正方法、歪補正プログラム及び投射型映像表示装置を提供することを目的としている。
【０００７】
【課題を解決するための手段】
上記課題を解決するために、請求項１記載の発明は、スクリーンに対して投射光軸を傾斜させて、表示デバイス上に表示される画面を光学レンズ系で拡大してスクリーン上に投射することによって生じる投射映像の歪みを、前記光学レンズ系の助けを借りずに、前記表示デバイス自体の画面表示に処理を施すことで、補正する投射映像の歪補正方法に係り、上記投射映像の補正点を補正対象とする複数の補正ファンクションに対応した複数の補正ファンクション表示を上記スクリーンに表示する第１のステップと、操作者によって選択された上記補正ファンクションに対応した上記補正ファンクション表示を上記スクリーンにハイライト表示する第２のステップと、選択された上記補正ファンクションの補正対象である上記補正点を上記操作者の指示に応じて上記スクリーン上で移動させて表示するとともに、上記移動した距離に応じた補正パラメータを算出する第３のステップと、上記補正パラメータに基づいて上記投射映像を補正する第４のステップとを備えてなることを特徴としている。
【０００８】
また、請求項２記載の発明は、請求項１記載の投射映像の歪補正方法に係り、上記投射映像は、長方形状の映像が台形状に歪んだものであり、上記補正点は、上記台形状の上記投射映像の四隅に対応した第１乃至第４の補正点からなり、上記複数の補正ファンクションは、上記第１乃至第４の補正点を補正対象とする第１乃至第４の補正ファンクションからなり、上記複数の補正ファンクション表示は、上記台形状の上記投射映像と相似形状の四隅であって、上記第１乃至第４の補正ファンクションに対応した第１乃至第４の補正ファンクション表示からなることを特徴としている。
【０００９】
また、請求項３記載の発明は、請求項１記載の投射映像の歪補正方法に係り、上記投射映像は、長方形状の映像が台形状に歪んだものであり、上記補正点は、上記台形状の上記投射映像の第１乃至第４の角に対応した第１乃至第４の補正点からなり、上記複数の補正ファンクションは、上記第１乃至第４の補正点を補正対象とする第１乃至第４の補正ファンクションと、上記第１及び第２の補正点を補正対象とする第５の補正ファンクションと、上記第２及び第３の補正点を補正対象とする第６の補正ファンクションと、上記第３及び第４の補正点を補正対象とする第７の補正ファンクションと、上記第４及び第１の補正点を補正対象とする第８の補正ファンクションとからなり、上記複数の補正ファンクション表示は、上記台形状の上記投射映像と相似形状の第１乃至第４の角であって、上記第１乃至第４の補正ファンクションに対応した第１乃至第４の補正ファンクション表示と、上記相似図形の第１及び第２の角の中間点に位置し、上記第５の補正ファンクションに対応した第５の補正ファンクション表示と、上記相似図形の第２及び第３の角の中間点に位置し、上記第６の補正ファンクションに対応した第６の補正ファンクション表示と、上記相似図形の第３及び第４の角の中間点に位置し、上記第７の補正ファンクションに対応した第７の補正ファンクション表示と、上記相似図形の第４及び第１の角の中間点に位置し、上記第８の補正ファンクションに対応した第８の補正ファンクション表示とからなり、上記第３のステップでは、第５の補正ファンクションが選択された場合には、上記第１及び第２の補正点を上記操作者の指示に応じて上記スクリーン上で同時に移動させて表示するとともに、上記移動した距離に応じた補正パラメータを同時に算出し、第６の補正ファンクションが選択された場合には、上記第２及び第３の補正点を上記操作者の指示に応じて上記スクリーン上で同時に移動させて表示するとともに、上記移動した距離に応じた補正パラメータを同時に算出し、第７の補正ファンクションが選択された場合には、上記第３及び第４の補正点を上記操作者の指示に応じて上記スクリーン上で同時に移動させて表示するとともに、上記移動した距離に応じた補正パラメータを同時に算出し、第８の補正ファンクションが選択された場合には、上記第４及び第１の補正点を上記操作者の指示に応じて上記スクリーン上で同時に移動させて表示するとともに、上記移動した距離に応じた補正パラメータを同時に算出することを特徴としている。
【００１０】
また、請求項４記載の発明は、請求項１乃至３のいずれか１に記載の投射映像の歪補正方法に係り、上記操作者による指示は、上記投射映像を上記スクリーンに投射する装置の筐体に設けられた、又はリモートコントローラに設けられた上下左右の移動を指示するためのカーソルキーにより行われることを特徴としている。
【００１１】
また、請求項５記載の発明に係る歪補正プログラムは、コンピュータに請求項１乃至４のいずれか１に記載の機能を実現させることを特徴としている。
【００１２】
また、請求項６記載の発明に係る投射型映像表示装置は、上下左右の移動を指示するためのカーソルキーを有する操作手段と、光学レンズ系と、表示デバイスとを有してなると共に、スクリーンに対して投射光軸を傾斜させて、前記表示デバイス上に表示される画面を前記光学レンズ系で拡大してスクリーン上に投射することによって生じる投射映像の歪みを、前記光学レンズ系の助けを借りずに、前記表示デバイス自体の画面表示に処理を施すことで、補正するための前記投射映像の補正点を補正対象とする複数の補正ファンクションに対応した複数の補正ファンクション表示を前記スクリーンに表示する表示手段と、上記表示手段を制御することにより、上記操作手段が操作されることにより選択された上記補正ファンクションに対応した上記補正ファンクション表示を上記スクリーンにハイライト表示させるとともに、選択された上記補正ファンクションの補正対象である上記補正点を上記操作手段が操作されることによる指示に応じて上記スクリーン上で移動させて表示させ、上記移動した距離に応じた補正パラメータを算出する制御手段と、上記補正パラメータに基づいて上記投射映像を補正する補正手段とを備えてなることを特徴としている。
【００１３】
また、請求項７記載の発明は、請求項６記載の投射型映像表示装置に係り、上記投射映像は、長方形状の映像が台形状に歪んだものであり、上記補正点は、上記台形状の上記投射映像の四隅に対応した第１乃至第４の補正点からなり、上記複数の補正ファンクションは、上記第１乃至第４の補正点を補正対象とする第１乃至第４の補正ファンクションからなり、上記複数の補正ファンクション表示は、上記台形状の上記投射映像と相似形状の四隅であって、上記第１乃至第４の補正ファンクションに対応した第１乃至第４の補正ファンクション表示からなることを特徴としている。
【００１４】
また、請求項８記載の発明は、請求項６記載の投射型映像表示装置に係り、上記投射映像は、長方形状の映像が台形状に歪んだものであり、上記補正点は、上記台形状の上記投射映像の第１乃至第４の角に対応した第１乃至第４の補正点からなり、上記複数の補正ファンクションは、上記第１乃至第４の補正点を補正対象とする第１乃至第４の補正ファンクションと、上記第１及び第２の補正点を補正対象とする第５の補正ファンクションと、上記第２及び第３の補正点を補正対象とする第６の補正ファンクションと、上記第３及び第４の補正点を補正対象とする第７の補正ファンクションと、上記第４及び第１の補正点を補正対象とする第８の補正ファンクションとからなり、上記複数の補正ファンクション表示は、上記台形状の上記投射映像と相似形状の第１乃至第４の角であって、上記第１乃至第４の補正ファンクションに対応した第１乃至第４の補正ファンクション表示と、上記相似図形の第１及び第２の角の中間点に位置し、上記第５の補正ファンクションに対応した第５の補正ファンクション表示と、上記相似図形の第２及び第３の角の中間点に位置し、上記第６の補正ファンクションに対応した第６の補正ファンクション表示と、上記相似図形の第３及び第４の角の中間点に位置し、上記第７の補正ファンクションに対応した第７の補正ファンクション表示と、上記相似図形の第４及び第１の角の中間点に位置し、上記第８の補正ファンクションに対応した第８の補正ファンクション表示とからなり、上記第３のステップでは、第５の補正ファンクションが選択された場合には、上記第１及び第２の補正点を上記操作者の指示に応じて上記スクリーン上で同時に移動させて表示するとともに、上記移動した距離に応じた補正パラメータを同時に算出し、第６の補正ファンクションが選択された場合には、上記第２及び第３の補正点を上記操作者の指示に応じて上記スクリーン上で同時に移動させて表示するとともに、上記移動した距離に応じた補正パラメータを同時に算出し、第７の補正ファンクションが選択された場合には、上記第３及び第４の補正点を上記操作者の指示に応じて上記スクリーン上で同時に移動させて表示するとともに、上記移動した距離に応じた補正パラメータを同時に算出し、第８の補正ファンクションが選択された場合には、上記第４及び第１の補正点を上記操作者の指示に応じて上記スクリーン上で同時に移動させて表示するとともに、上記移動した距離に応じた補正パラメータを同時に算出することを特徴としている。
【００１５】
【発明の実施の形態】
以下、図面を参照して、この発明の実施の形態について説明する。説明は、実施例を用いて具体的に行う。
図２は、この発明の一実施例である投射映像の歪補正方法を適用した投射型映像表示装置１の構成を示すブロック図である。
この例の投射型映像表示装置１は、入力映像信号処理部２と、ＣＰＵ（中央処理装置）３と、記憶部４と、操作部５と、補正ファンクション表示生成部６と、映像歪み補正部７と、投射データ生成部８と、投射部９とから構成されている。
【００１６】
入力映像信号処理部２は、ＣＰＵ３の制御の下、外部から供給されるアナログの映像信号ＳＰをデジタルの映像データにアナログ／デジタル変換した後、逆ガンマ補正処理等を施し、その結果を映像データＤＰ１として補正ファンクション表示生成部６及び映像歪み補正部７に供給する。ＣＰＵ３は、記憶部４に記憶された各種プログラムを実行し、記憶部４に確保された各種レジスタやフラグを用いて、操作者による操作部５を構成する各種キーの操作に応じて、図示せぬスクリーンに投射映像を表示するために、装置各部を制御する。記憶部４としては、ＲＡＭやＲＯＭ、フラッシュメモリ等の半導体メモリ、ＦＤ（フロッピー・ディスク（登録商標））、ＨＤ（ハード・ディスク）、ＭＯ（光磁気）ディスク、ＣＤ（コンパクト・ディスク）−ＲＯＭ、ＣＤ−Ｒ（Recordable）、ＣＤ−ＲＷ（ReWritable）やＤＶＤ（デジタル・ビデオ・ディスク）−ＲＯＭ、ＤＶＤ−Ｒ、ＤＶＤ−ＲＷ等がある。記憶部４には、外部から供給される映像信号ＳＰに基づいてスクリーンに投射映像を表示するためのメインプログラムの他、スクリーンに対して投射光軸を傾斜させて映像を投射することによって生じる映像の歪みを補正するための歪補正プログラム等が記憶されている。
【００１７】
操作部５は、例えば、図３に示すような、モード切換キー１１、エンターキー１２、アップキー１３、ダウンキー１４、レフトキー１５、ライトキー１６の他、図示しないが、電源スイッチ等の各種スイッチ、あるいはリモートコントローラ（図示略）から発せられる光信号を受光する受光部等を有する。操作部５は、これらのキー、各種スイッチ、あるいはリモートコントローラ（図示略）が操作者によって操作されることにより、そのキーやスイッチ、あるいは光信号の種類及び押下時間に応じた信号をＣＰＵ３に供給する。モード切換キー１１は、この例の投射型映像表示装置１の動作モードを、映像の歪みを補正するための補正モードと、スクリーンに投射映像を表示するための通常モードとの切り換えを指示するために用いられる。エンターキー１２は、補正モードにおいて、スクリーンに表示された投射映像の歪みを補正するために予め設けられている８個の補正ファンクションの中から１個を選択する選択モードと、補正ファンクションを実行する実行モードとの切り換えを指示するために用いられる。ここで、８個の補正ファンクションとは、第１補正ファンクション〜第８補正ファンクションをいうが、これらの詳細については後述する。アップキー１３、ダウンキー１４、レフトキー１５及びライトキー１６は、上記選択モードにおいて、上記８個の補正ファンクションの中から１個の補正ファンクションを選択するために用いられる。
【００１８】
なお、上記した図示せぬリモートコントローラにも、モード切換キー１１、エンターキー１２、アップキー１３、ダウンキー１４、レフトキー１５、ライトキー１６と同等の機能を有する各種キーが設けられている。したがって、以下の説明において、モード切換キー１１、エンターキー１２、アップキー１３、ダウンキー１４、レフトキー１５、ライトキー１６というときは、投射型映像表示装置１の筐体に設けられたものと、図示せぬリモートコントローラに設けられたもののいずれかであることを意味している。
【００１９】
補正ファンクション表示生成部６は、ＣＰＵ３の制御の下、スクリーンに表示された投射映像の歪みを補正するために用いる補正ファンクション表示画面に関する補正ファンクションデータＤＣＦを生成する。映像歪み補正部７は、ＣＰＵ３の制御の下、入力映像信号処理部２から供給される映像データＤＰ１について投射映像の歪みを補正することにより映像データＤＰ２を生成する。投射データ生成部８は、ＣＰＵ３の制御の下、補正ファンクション表示生成部６から供給される補正ファンクションデータＤＣＦ又は、映像歪み補正部７から供給される映像データＤＰ２に基づいて、最終的な投射データＤＰ３を生成する。投射部９は、一般的に、表示デバイス、光学レンズ、光源ランプなどからなり、投射データ生成部８から供給される投射データＤＰ３に基づいて表示デバイスによって光源から放射された光を変調した後、光学レンズにより画像を拡大してスクリーン上に投射することにより映像を表示する。このうち、表示デバイスには、一般に、液晶パネルや、ＤＬＰ（Digital Light Processing）（商標名）等のデバイスが使用されることが多い。ここで、ＤＬＰとは、米国テキサスインスツルメンツ社が開発したＤＭＤ（Digital Micromirror Device）を使用した投射型映像表示方法の１つの方法であり、１３μm四方の小さな鏡を数百万個敷き詰めた素子で１つずつの鏡の向きを制御することにより光源の光を反射させて映像を映すものである。
【００２０】
次に、上記構成の投射型映像表示装置１の動作について、図１〜図６を参照して説明する。この例の投射型映像表示装置１は、初期状態では通常モードに設定されているものとする。図１は、この例の投射型映像表示装置１がスクリーン２１に対して投射光軸を傾斜させて映像を投射していることを示す概略図である。図から分かるように、投射映像２２には歪みがある。そこで、まず、操作者は、モード切換キー１１を操作して、この例の投射型映像表示装置１の動作モードを通常モードから補正モードの選択モードへ切り換えるように指示する。
【００２１】
これにより、モード切換キー１１が操作者によって操作されることにより、操作部５がモード切換キー１１に応じた信号をＣＰＵ３に供給する。したがって、ＣＰＵ３には、記憶部４から歪補正プログラムが読み込まれるので、ＣＰＵ３は、この歪補正プログラムの制御により、補正ファンクション表示生成部６を制御して、８個の補正ファンクションに対応した補正ファンクション表示画面に関する補正ファンクションデータＤＣＦの生成を指示する。なお、以下では、説明を簡単にするため、ＣＰＵ３の具体的な処理については特に説明せず、操作者の操作を中心に説明する。
【００２２】
これにより、図１及び図４に示すように、スクリーン２１には、補正ファンクション表示画面２３が表示される。図１及び図４に示す補正ファンクション表示画面２３は、長方形状のスクリーン２１（縦横比；３：４又は９：１６）に相似する長方形の４角及び４辺の略中央に位置する略円形状の第１〜第８補正ファンクション表示３１〜３８から構成されている。第１〜第８補正ファンクション表示３１〜３８は、各々第１〜第８補正ファンクションに対応している。ここで、第１〜第８補正ファンクションについて説明する。第１補正ファンクションとは、図１及び図４に示す第１補正点ＰＣ１を補正対象とする機能である。同様に、第２補正ファンクションとは、図１及び図４に示す第２補正点ＰＣ２を補正対象とする機能、第３補正ファンクションとは、図１及び図４に示す第３補正点ＰＣ３を補正対象とする機能、第４補正ファンクションとは、図１及び図４に示す第４補正点ＰＣ４を補正対象とする機能である。
【００２３】
一方、第５補正ファンクションとは、図１及び図４に示す第１補正点ＰＣ１及び第２補正点ＰＣ２を同時に補正対象とする機能、第６補正ファンクションとは、図１及び図４に示す第２補正点ＰＣ２及び第３補正点ＰＣ３を同時に補正対象とする機能、第７補正ファンクションとは、図１及び図４に示す第３補正点ＰＣ３及び第４補正点ＰＣ４を補正対象とする機能、第８補正ファンクションとは、図１及び図４に示す第４補正点ＰＣ４及び第１補正点ＰＣ１を同時に補正対象とする機能である。
【００２４】
操作者は、第１〜第８補正ファンクションの中から１個の補正ファンクションを選択するには、アップキー１３、ダウンキー１４、レフトキー１５、ライトキー１６のいずれかを押下することにより行う。その後、操作者がエンターキー１２を押下することにより、選択された補正ファンクションの実行モードに移行し、対応する補正対象が決定される。
図１及び図４において、第１補正ファンクション表示３１が黒色に塗りつぶされて表示されている（ハイライト表示）のは、第１補正ファンクションが選択され、かつ、第１ファンクションの実行モードに設定されていることを示している。この場合の補正対象は、第１の補正点ＰＣ１である。
【００２５】
また、図５は、第１補正ファンクション表示３１の補正対象である第１の補正点ＰＣ１における補正方向を示したものである。操作者は、各補正方向へ第１の補正点ＰＣ１を移動させるためには、アップキー１３、ダウンキー１４、レフトキー１５、ライトキー１６のいずれかを押下することにより行う。すなわち、アップキー１３が１回押下されると、第１の補正点ＰＣ１は、図５に示す上向き矢印ＡＲＵ１の方向へ予め設定されている所定距離だけ移動し、これによりその移動した距離に応じた補正パラメータが算出される。同様に、ダウンキー１４が１回押下されると、第１の補正点ＰＣ１は、図５に示す下向き矢印ＡＲＤ１の方向へ予め設定されている所定距離だけ移動し、これによりその移動した距離に応じた補正パラメータが算出される。レフトキー１５が１回押下されると、第１の補正点ＰＣ１は、図５に示す左向き矢印ＡＲＬ１の方向へ予め設定されている所定距離だけ移動し、これによりその移動した距離に応じた補正パラメータが算出される。ライトキー１６が１回押下されると、第１の補正点ＰＣ１は、図５に示す右向き矢印ＡＲＲ１の方向へ予め設定されている所定距離だけ移動し、これによりその移動した距離に応じた補正パラメータが算出される。
【００２６】
同様に、第２補正ファンクションにおいて、第２の補正点ＰＣ２を各補正方向へ移動させるためには、操作者は以下に示す操作を行う。すなわち、操作者は、まず、エンターキー１２を押下してこの例の投射型映像表示装置１を選択モードに切り換えた後、アップキー１３、ダウンキー１４、レフトキー１５、ライトキー１６のいずれかを押下して第２補正ファンクションを選択し、エンターキー１２を押下して選択した第２補正ファンクションの実行モードに移行させ、対応する補正対象を第２の補正点ＰＣ２に決定させる。
次に、操作者は、アップキー１３、ダウンキー１４、レフトキー１５、ライトキー１６のいずれかを押下することにより、第２の補正点ＰＣ２を各補正方向へ移動させる。すなわち、アップキー１３が１回押下されると、第２の補正点ＰＣ２は、図４において上方向へ予め設定されている所定距離だけ移動し、これによりその移動した距離に応じた補正パラメータが算出される。同様に、ダウンキー１４が１回押下されると、第２の補正点ＰＣ２は、図４において下方向へ予め設定されている所定距離だけ移動し、これによりその移動した距離に応じた補正パラメータが算出される。レフトキー１５が１回押下されると、第２の補正点ＰＣ１は、図４において左方向へ予め設定されている所定距離だけ移動し、これによりその移動した距離に応じた補正パラメータが算出される。ライトキー１６が１回押下されると、第２の補正点ＰＣ２は、図４において右方向へ予め設定されている所定距離だけ移動し、これによりその移動した距離に応じた補正パラメータが算出される。
【００２７】
第３補正ファンクションにおいて、第３の補正点ＰＣ３を各補正方向へ移動させるためには、操作者は以下に示す操作を行う。すなわち、操作者は、まず、エンターキー１２を押下してこの例の投射型映像表示装置１を選択モードに切り換えた後、アップキー１３、ダウンキー１４、レフトキー１５、ライトキー１６のいずれかを押下して第３補正ファンクションを選択し、エンターキー１２を押下して選択した第３補正ファンクションの実行モードに移行させ、対応する補正対象を第３の補正点ＰＣ３に決定させる。
次に、操作者は、アップキー１３、ダウンキー１４、レフトキー１５、ライトキー１６のいずれかを押下することにより、第３の補正点ＰＣ３を各補正方向へ移動させる。すなわち、アップキー１３が１回押下されると、第３の補正点ＰＣ３は、図４において上方向へ予め設定されている所定距離だけ移動し、これによりその移動した距離に応じた補正パラメータが算出される。同様に、ダウンキー１４が１回押下されると、第３の補正点ＰＣ３は、図４において下方向へ予め設定されている所定距離だけ移動し、これによりその移動した距離に応じた補正パラメータが算出される。レフトキー１５が１回押下されると、第３の補正点ＰＣ１は、図４において左方向へ予め設定されている所定距離だけ移動し、これによりその移動した距離に応じた補正パラメータが算出される。ライトキー１６が１回押下されると、第３の補正点ＰＣ３は、図４において右方向へ予め設定されている所定距離だけ移動し、これによりその移動した距離に応じた補正パラメータが算出される。
【００２８】
第４補正ファンクションにおいて、第４の補正点ＰＣ４を各補正方向へ移動させるためには、操作者は以下に示す操作を行う。すなわち、操作者は、まず、エンターキー１２を押下してこの例の投射型映像表示装置１を選択モードに切り換えた後、アップキー１３、ダウンキー１４、レフトキー１５、ライトキー１６のいずれかを押下して第４補正ファンクションを選択し、エンターキー１２を押下して選択した第４補正ファンクションの実行モードに移行させ、対応する補正対象を第４の補正点ＰＣ４に決定させる。
次に、操作者は、アップキー１３、ダウンキー１４、レフトキー１５、ライトキー１６のいずれかを押下することにより、第４の補正点ＰＣ４を各補正方向へ移動させる。すなわち、アップキー１３が１回押下されると、第４の補正点ＰＣ４は、図４において上方向へ予め設定されている所定距離だけ移動し、これによりその移動した距離に応じた補正パラメータが算出される。同様に、ダウンキー１４が１回押下されると、第４の補正点ＰＣ４は、図４において下方向へ予め設定されている所定距離だけ移動し、これによりその移動した距離に応じた補正パラメータが算出される。レフトキー１５が１回押下されると、第４の補正点ＰＣ１は、図４において左方向へ予め設定されている所定距離だけ移動し、これによりその移動した距離に応じた補正パラメータが算出される。ライトキー１６が１回押下されると、第４の補正点ＰＣ４は、図４において右方向へ予め設定されている所定距離だけ移動し、これによりその移動した距離に応じた補正パラメータが算出される。
【００２９】
これに対し、図６は、第５補正ファンクション表示３５の補正対象である第１の補正点ＰＣ１及び第２の補正点ＰＣ２における各々の補正方向を示したものである。第５補正ファンクションにおいて、第１の補正点ＰＣ１及び第２の補正点ＰＣ２を同時に各補正方向へ移動させるためには、操作者は以下に示す操作を行う。すなわち、操作者は、まず、エンターキー１２を押下してこの例の投射型映像表示装置１を選択モードに切り換えた後、アップキー１３、ダウンキー１４、レフトキー１５、ライトキー１６のいずれかを押下して第５補正ファンクションを選択し、エンターキー１２を押下して選択した第５補正ファンクションの実行モードに移行させ、対応する補正対象を第１の補正点ＰＣ１及び第２の補正点ＰＣ２に決定させる。
【００３０】
次に、操作者は、アップキー１３、ダウンキー１４、レフトキー１５、ライトキー１６のいずれかを押下することにより、第１の補正点ＰＣ１及び第２の補正点ＰＣ２を同時に各補正方向へ移動させる。すなわち、アップキー１３が１回押下されると、第１の補正点ＰＣ１が図６に示す上向き矢印ＡＲＵ１の方向へ予め設定されている所定距離だけ移動し、その移動した距離だけ補正されると同時に、第２の補正点ＰＣ２が図６に示す上向き矢印ＡＲＵ２の方向へ予め設定されている所定距離だけ移動し、これによりその移動した距離に応じた補正パラメータが算出される。同様に、ダウンキー１４が１回押下されると、第１の補正点ＰＣ１が図６に示す下向き矢印ＡＲＤ１の方向へ予め設定されている所定距離だけ移動し、これによりその移動した距離に応じた補正パラメータが算出されると同時に、第２の補正点ＰＣ２が図６に示す下向き矢印ＡＲＤ２の方向へ予め設定されている所定距離だけ移動し、これによりその移動した距離に応じた補正パラメータが算出される。レフトキー１５が１回押下されると、第１の補正点ＰＣ１が図６に示す左向き矢印ＡＲＬ１の方向へ予め設定されている所定距離だけ移動し、これによりその移動した距離に応じた補正パラメータが算出されると同時に、第２の補正点ＰＣ２が図６に示す右向き矢印ＡＲＲ２の方向へ予め設定されている所定距離だけ移動し、これによりその移動した距離に応じた補正パラメータが算出される。ライトキー１６が１回押下されると、第１の補正点ＰＣ１が図６に示す右向き矢印ＡＲＲ１の方向へ予め設定されている所定距離だけ移動し、これによりその移動した距離に応じた補正パラメータが算出されると同時に、第２の補正点ＰＣ２が図６に示す左向き矢印ＡＲＬ２の方向へ予め設定されている所定距離だけ移動し、これによりその移動した距離に応じた補正パラメータが算出される。
【００３１】
また、第６補正ファンクションにおいて、第２の補正点ＰＣ２及び第３の補正点ＰＣ３を同時に各補正方向へ移動させるためには、操作者は以下に示す操作を行う。すなわち、操作者は、まず、エンターキー１２を押下してこの例の投射型映像表示装置１を選択モードに切り換えた後、アップキー１３、ダウンキー１４、レフトキー１５、ライトキー１６のいずれかを押下して第６補正ファンクションを選択し、エンターキー１２を押下して選択した第６補正ファンクションの実行モードに移行させ、対応する補正対象を第２の補正点ＰＣ２及び第３の補正点ＰＣ３に決定させる。
【００３２】
次に、操作者は、アップキー１３、ダウンキー１４、レフトキー１５、ライトキー１６のいずれかを押下することにより、第２の補正点ＰＣ２及び第３の補正点ＰＣ３を同時に各補正方向へ移動させる。すなわち、アップキー１３が１回押下されると、第２の補正点ＰＣ２が図４において上方向へ予め設定されている所定距離だけ移動し、これによりその移動した距離に応じた補正パラメータが算出されると同時に、第３の補正点ＰＣ３が図４において下方向へ予め設定されている所定距離だけ移動し、これによりその移動した距離に応じた補正パラメータが算出される。同様に、ダウンキー１４が１回押下されると、第２の補正点ＰＣ２が図４において下方向へ予め設定されている所定距離だけ移動し、これによりその移動した距離に応じた補正パラメータが算出されると同時に、第３の補正点ＰＣ３が図４において上方向へ予め設定されている所定距離だけ移動し、これによりその移動した距離に応じた補正パラメータが算出される。レフトキー１５が１回押下されると、第２の補正点ＰＣ２が図４において左方向へ予め設定されている所定距離だけ移動し、これによりその移動した距離に応じた補正パラメータが算出されると同時に、第３の補正点ＰＣ３が図４において左方向へ予め設定されている所定距離だけ移動し、これによりその移動した距離に応じた補正パラメータが算出される。ライトキー１６が１回押下されると、第２の補正点ＰＣ２が図４において右方向へ予め設定されている所定距離だけ移動し、これによりその移動した距離に応じた補正パラメータが算出されると同時に、第３の補正点ＰＣ３が図４において右方向へ予め設定されている所定距離だけ移動し、これによりその移動した距離に応じた補正パラメータが算出される。
【００３３】
また、第７補正ファンクションにおいて、第３の補正点ＰＣ３及び第４の補正点ＰＣ４を同時に各補正方向へ移動させるためには、操作者は以下に示す操作を行う。すなわち、操作者は、まず、エンターキー１２を押下してこの例の投射型映像表示装置１を選択モードに切り換えた後、アップキー１３、ダウンキー１４、レフトキー１５、ライトキー１６のいずれかを押下して第７補正ファンクションを選択し、エンターキー１２を押下して選択した第７補正ファンクションの実行モードに移行させ、対応する補正対象を第３の補正点ＰＣ３及び第４の補正点ＰＣ４に決定させる。
【００３４】
次に、操作者は、アップキー１３、ダウンキー１４、レフトキー１５、ライトキー１６のいずれかを押下することにより、第３の補正点ＰＣ３及び第４の補正点ＰＣ４を同時に各補正方向へ移動させる。すなわち、アップキー１３が１回押下されると、第３の補正点ＰＣ３が図４において上方向へ予め設定されている所定距離だけ移動し、これによりその移動した距離に応じた補正パラメータが算出されると同時に、第４の補正点ＰＣ４が図４において上方向へ予め設定されている所定距離だけ移動し、これによりその移動した距離に応じた補正パラメータが算出される。同様に、ダウンキー１４が１回押下されると、第３の補正点ＰＣ３が図４において下方向へ予め設定されている所定距離だけ移動し、これによりその移動した距離に応じた補正パラメータが算出されると同時に、第４の補正点ＰＣ４が図４において下方向へ予め設定されている所定距離だけ移動し、これによりその移動した距離に応じた補正パラメータが算出される。レフトキー１５が１回押下されると、第３の補正点ＰＣ３が図４において右方向へ予め設定されている所定距離だけ移動し、これによりその移動した距離に応じた補正パラメータが算出されると同時に、第４の補正点ＰＣ４が図４において左方向へ予め設定されている所定距離だけ移動し、これによりその移動した距離に応じた補正パラメータが算出される。ライトキー１６が１回押下されると、第３の補正点ＰＣ３が図４において左方向へ予め設定されている所定距離だけ移動し、これによりその移動した距離に応じた補正パラメータが算出されると同時に、第４の補正点ＰＣ４が図４において右方向へ予め設定されている所定距離だけ移動し、これによりその移動した距離に応じた補正パラメータが算出される。
【００３５】
また、第８補正ファンクションにおいて、第４の補正点ＰＣ４及び第１の補正点ＰＣ１を同時に各補正方向へ移動させるためには、操作者は以下に示す操作を行う。すなわち、操作者は、まず、エンターキー１２を押下してこの例の投射型映像表示装置１を選択モードに切り換えた後、アップキー１３、ダウンキー１４、レフトキー１５、ライトキー１６のいずれかを押下して第８補正ファンクションを選択し、エンターキー１２を押下して選択した第８補正ファンクションの実行モードに移行させ、対応する補正対象を第４の補正点ＰＣ４及び第１の補正点ＰＣ１に決定させる。
【００３６】
次に、操作者は、アップキー１３、ダウンキー１４、レフトキー１５、ライトキー１６のいずれかを押下することにより、第４の補正点ＰＣ４及び第１の補正点ＰＣ１を同時に各補正方向へ移動させる。すなわち、アップキー１３が１回押下されると、第４の補正点ＰＣ４が図４において下方向へ予め設定されている所定距離だけ移動し、これによりその移動した距離に応じた補正パラメータが算出されると同時に、第１の補正点ＰＣ１が図４において上方向へ予め設定されている所定距離だけ移動し、これによりその移動した距離に応じた補正パラメータが算出される。同様に、ダウンキー１４が１回押下されると、第４の補正点ＰＣ４が図４において上方向へ予め設定されている所定距離だけ移動し、これによりその移動した距離に応じた補正パラメータが算出されると同時に、第１の補正点ＰＣ１が図４において下方向へ予め設定されている所定距離だけ移動し、これによりその移動した距離に応じた補正パラメータが算出される。レフトキー１５が１回押下されると、第４の補正点ＰＣ４が図４において左方向へ予め設定されている所定距離だけ移動し、これによりその移動した距離に応じた補正パラメータが算出されると同時に、第１の補正点ＰＣ１が図４において左方向へ予め設定されている所定距離だけ移動し、これによりその移動した距離に応じた補正パラメータが算出される。ライトキー１６が１回押下されると、第４の補正点ＰＣ４が図４において右方向へ予め設定されている所定距離だけ移動し、これによりその移動した距離に応じた補正パラメータが算出されると同時に、第１補正点ＰＣ１が図４において右方向へ予め設定されている所定距離だけ移動し、これによりその移動した距離に応じた補正パラメータが算出される。
【００３７】
ＣＰＵ３は、以上説明した処理により算出されたすべての補正パラメータを記憶部４に保存する。そして、ＣＰＵ３は、記憶部４に保存されている補正パラメータに基づいて映像歪み補正部７を制御して、入力映像信号処理部２から供給される映像データＤＰ１について投射映像の歪みを補正させることにより映像データＤＰ２を生成させた後、投射データ生成部８及び投射部９を経てスクリーン２１上に補正後の投射映像を表示させる。
【００３８】
このように、この例の構成によれば、投射映像の歪みを補正するために予め設けられた８個の補正ファンクションに応じた補正ファンクション表示画面をスクリーン２１に表示し、操作者がアップキー１３、ダウンキー１４、レフトキー１５、ライトキー１６を用いて各補正点を補正することができる。
したがって、ディスプレイやポインティングデバイス、あるいはポインティングデバイスを操作するためのテーブルを別に設けることなく、またポインティングデバイスにより補正位置を直接指定することなく、任意の場所に装置を設置することができるとともに、少ない部品点数、かつ、簡単な操作で任意の補正点を指定して映像の歪みを補正することができる。
【００３９】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述の実施例においては、アップキー１３、ダウンキー１４、レフトキー１５、ライトキー１６のいずれかを押下することにより、補正点が予め設定されている所定距離だけ移動し、これによりその移動した距離に応じた補正パラメータが算出される例を示したが、これに限定されず、アップキー１３、ダウンキー１４、レフトキー１５、ライトキー１６を押下する時間に応じて補正距離が変化するように構成しても良い。
また、上述の実施例においては、リモートコントローラから操作部５に向けて光信号が出力される例を示したが、これに限定されず、リモートコントローラから操作部５に向けて電波が放射され、操作部５がその電波を受信して電気信号に変換するように構成しても良い。
【００４０】
また、上述の実施例では、第５補正ファンクションにおいて、レフトキー１５が押下されると、第１の補正点ＰＣ１が左方向へ移動して補正されると同時に、第２の補正点ＰＣ２が右方向へ移動して補正され、ライトキー１６が押下されると、第１の補正点ＰＣ１が右方向へ移動して補正されると同時に、第２の補正点ＰＣ２が左方向へ移動して補正される例を示したが、これに限定されない。すなわち、第５補正ファンクションにおいて、レフトキー１５が押下されると、第１の補正点ＰＣ１が右方向へ移動して補正されると同時に、第２の補正点ＰＣ２が左方向へ移動して補正され、ライトキー１６が押下されると、第１の補正点ＰＣ１が左方向へ移動して補正されると同時に、第２の補正点ＰＣ２が右方向へ移動して補正されるように構成しても良い。この場合でも、上記した実施例の場合と同様の効果が得られる。
【００４１】
同様に、上述の実施例では、第６補正ファンクションにおいて、アップキー１３が押下されると、第２の補正点ＰＣ２が上方向へ移動して補正されると同時に、第３の補正点ＰＣ３が下方向へ移動して補正され、ダウンキー１４が押下されると、第２の補正点ＰＣ２が下方向へ移動して補正されると同時に、第３の補正点ＰＣ３が上方向へ移動して補正される例を示したが、これに限定されない。すなわち、第６補正ファンクションにおいて、アップキー１３が押下されると、第２の補正点ＰＣ２が下方向へ移動して補正されると同時に、第３の補正点ＰＣ３が上方向へ移動して補正され、ダウンキー１４が押下されると、第２の補正点ＰＣ２が上方向へ移動して補正されると同時に、第３の補正点ＰＣ３が下方向へ移動して補正されるように構成しても良い。この場合でも、上記した実施例の場合と同様の効果が得られる。
【００４２】
また、上述の実施例では、第７補正ファンクションにおいて、レフトキー１５が押下されると、第３の補正点ＰＣ３が右方向へ移動して補正されると同時に、第４の補正点ＰＣ４が左方向へ移動して補正され、ライトキー１６が押下されると、第３の補正点ＰＣ３が左方向へ移動して補正されると同時に、第４の補正点ＰＣ４が右方向へ移動して補正される例を示したが、これに限定されない。すなわち、第７補正ファンクションにおいて、レフトキー１５が押下されると、第３の補正点ＰＣ３が左方向へ移動して補正されると同時に、第４の補正点ＰＣ４が右方向へ移動して補正され、ライトキー１６が押下されると、第３の補正点ＰＣ３が右方向へ移動して補正されると同時に、第４の補正点ＰＣ４が左方向へ移動して補正されるように構成しても良い。この場合でも、上記した実施例の場合と同様の効果が得られる。
【００４３】
また、上述の実施例では、第８補正ファンクションにおいて、アップキー１３が押下されると、第４の補正点ＰＣ４が下方向へ移動して補正されると同時に、第１の補正点ＰＣ１が上方向へ移動して補正され、ダウンキー１４が押下されると、第４の補正点ＰＣ４が上方向へ移動して補正されると同時に、第１の補正点ＰＣ１が下方向へ移動して補正される例を示したが、これに限定されない。すなわち、第８補正ファンクションにおいて、アップキー１３が押下されると、第４の補正点ＰＣ４が上方向へ移動して補正されると同時に、第１の補正点ＰＣ１が下方向へ移動して補正され、ダウンキー１４が押下されると、第４の補正点ＰＣ４が下方向へ移動して補正されると同時に、第１の補正点ＰＣ１が上方向へ移動して補正されるように構成しても良い。この場合でも、上記した実施例の場合と同様の効果が得られる。
【００４４】
また、上述の実施例においては、第１〜第８補正ファンクションにより投射映像の歪みを補正する例を示したが、これに限定されず、第１〜第４補正ファンクション又は第５〜第８補正ファンクションのいずれか一方、あるいはこれら以外の補正ファンクションにより投射映像の歪みを補正する構成でも良い。この場合でも、上記した実施例の場合と同様の効果が得られる。また、上述の実施例においては、補正ファンクション表示画面２３をスクリーン２１に表示する例を示したが、これに限定されず、格子状又は市松模様からなる補正ファンクション表示画面をスクリーン２１に表示するように構成しても良い。この場合でも、上記した実施例の場合と同様の効果が得られる。さらに、上述の実施例においては、操作者がアップキー１３、ダウンキー１４、レフトキー１５、ライトキー１６を操作した際に対応する各補正点の補正する例を示したが、これに限定されず、操作者がアップキー１３、ダウンキー１４、レフトキー１５、ライトキー１６を操作した際には第１〜第４補正ファンクション表示３１〜３４を結んで得られる補正輪郭枠表示だけを移動させ、操作者がモード切換キー１１を操作した時に、実際の補正処理が実行されるように構成しても良い。この場合でも、上記した実施例の場合と同様の効果が得られる。
また、上述の実施例においては、補正ファンクション表示生成部６、映像歪み補正部７及び投射データ生成部８をハードウェアで構成した例を示したが、これに限定されない。すなわち、上記補正ファンクション表示生成部６、上記映像歪み補正部７及び上記投射データ生成部８の機能についてもプログラムとして記憶部４に記憶されていると構成し、このプログラムは、記憶部４からＣＰＵ３に読み込まれ、ＣＰＵ３の動作を制御する。ＣＰＵ３は、上記プログラムが起動されると、上記補正ファンクション表示生成部６、上記映像歪み補正部７及び上記投射データ生成部８として機能し、上記プログラムの制御により、上記した処理を実行するのである。
【００４５】
【発明の効果】
以上説明したように、この発明の構成によれば、投射映像の補正点を補正対象とする複数の補正ファンクションに対応した複数の補正ファンクション表示をスクリーンに表示する第１のステップと、操作者によって選択された補正ファンクションに対応した補正ファンクション表示をスクリーンにハイライト表示する第２のステップと、選択された補正ファンクションの補正対象である補正点を操作者の指示に応じてスクリーン上で移動させて表示するとともに、移動した距離に応じた補正パラメータを算出する第３のステップと、補正パラメータに基づいて投射映像を補正する第４のステップとを備えてなるので、ディスプレイやポインティングデバイスを別に設けることなく、簡単な操作で任意の補正点を指定してスクリーンに対して投射光軸を傾斜させて映像を投射することによって生じる映像の歪みを補正することができる。
【図面の簡単な説明】
【図１】  この発明の一実施例である投射映像の歪補正方法を説明するための概略斜視図である。
【図２】  同方法を適用した投射型映像表示装置の構成を示すブロック図である。
【図３】  同装置を構成する操作部５の一部である各種キーの外観構成を示す正面図である。
【図４】  同方法を説明するための概略図である。
【図５】  同方法を説明するための概略図である。
【図６】  同方法を説明するための概略図である。
【図１】
0003742027.tif 000002
【図２】
0003742027.tif 000003
【図３】
0003742027.tif 000004
【図４】
0003742027.tif 000005
【図５】
0003742027.tif 000006
【図６】
0003742027.tif 000007